(57)【要約】【課題】本発明は積み木パズル組立構造及び積み木玩具を開示する。【解決手段】積み木パズル組立構造は可動積み上げブロック及び積み上げベースを備え、可動積み上げブロックは弾性部材によって積み上げベースに支持され、弾性部材は可動積み上げブロックと積み上げベースに作用する外部圧力の作用で圧縮して可動積み上げブロックと積み上げベースを相対接近移動させ、外部圧力が消失すると、弾性部材はプレストレスによって可動積み上げブロックに支持される。本発明は構造が簡単で巧妙で、生産が容易で、コストが低く、最も簡単で、安全性や信頼性、汎用性の最も高い設計を創造的に利用することによって、積み木分野で未解決のままの課題を解決し、使用が非常に容易であり、自由に組立や簡単な取り外しを行うことができ、積み木玩具のプレイアビリティを大幅に向上させる。【選択図】図２
2019514445.tif 000002
【特許請求の範囲】
【請求項１】
可動積み上げブロック及び積み上げベースを備え、可動積み上げブロックは弾性部材によって積み上げベースに支持され、弾性部材は可動積み上げブロックと積み上げベースに作用する外部圧力の作用で圧縮して可動積み上げブロックと積み上げベースを相対接近移動させ、外部圧力が消失すると、弾性部材はプレストレスによって可動積み上げブロックを復帰させることを特徴とする積み木パズル組立構造。
【請求項２】
前記可動積み上げブロックと積み上げベースは一対一の組立関係であり、１つの積み上げベースのサイズは１つの可動積み上げブロックのみを支持し、この時、可動積み上げブロックと積み上げベースから１つのモジュールが構成され、且つ積み上げベースの最底面構造がブロックと同様であることで、前記モジュールがブロックの機能を有し、前記可動積み上げブロックの最上面は積み木パターンであり又はブロックの底部と挿接可能な構造を有することを特徴とする請求項１に記載の積み木パズル組立構造。
【請求項３】
前記可動積み上げブロックと積み上げベースは多対一の組立関係であり、すなわち複数の前記可動積み上げブロックが１つの積み上げベースに組み立てられ、積み上げベースは一体成形構造であり、各可動積み上げブロックはそれぞれ独立に前記弾性部材によって積み上げベースに支持され、外部圧力の作用で積み上げベースに対して接近移動可能であり、複数の前記可動積み上げブロックは前記１つの積み上げベースの上方に等高に配列され、前記可動積み上げブロックの最上面が１つのブロックの底部と挿接可能な構造であり、複数の前記可動積み上げブロックの最上面が配列されて、複数のブロックと挿接してパズルを完成できる構造が形成されることを特徴とする請求項１に記載の積み木パズル組立構造。
【請求項４】
前記可動積み上げブロックに上制限部材が設けられ、積み上げベースに設けられた下制限部材と嵌合して係合接続と制限作用を実現し、可動積み上げブロックと積み上げベースを係合後に相対移動可能にするだけでなく、弾性部材のプレストレスの作用で脱離することなく復帰でき、前記上制限部材は可動積み上げブロックの側壁又は可動積み上げブロック内に設けられ、前記下制限部材は積み上げベースの側壁又は積み上げベース内に設けられることを特徴とする請求項１に記載の積み木パズル組立構造。
【請求項５】
前記可動積み上げブロックの前記上制限部材と可動積み上げブロックの側壁との間に隙間があり、すなわち上制限部材は可動積み上げブロック内の最上面に独立に設けられ、積み上げベースの前記下制限部材と積み上げベースの側壁との間に隙間があり、すなわち下制限部材は積み上げベースの内底面に独立に設けられることを特徴とする請求項４に記載の積み木パズル組立構造。
【請求項６】
前記上制限部材は可動積み上げブロック内に側壁とは独立して設けられた矩形側壁であり、前記下制限部材は側壁とは独立して設けられた矩形側壁であり、可動積み上げブロックの内部に設けられた前記矩形側壁が積み上げベースの内部に設けられた前記矩形側壁に嵌入することができるとき、可動積み上げブロックに設けられた前記矩形側壁と積み上げベースに設けられた前記矩形側壁のうち少なくとも一方は突起を有し、それにより嵌入時に係合接続を実現し且つ可動積み上げブロックと積み上げベースの相互脱離を制限することを特徴とする請求項５に記載の積み木パズル組立構造。
【請求項７】
前記上制限部材と下制限部材が相互に押出して係合を実現した後、可動積み上げブロックと積み上げベースとの積み上げベースの底面に平行な方向の移動は可動積み上げブロックの側壁、積み上げベースの側壁、上制限部材及び下制限部材のうちの１種以上によって制限されることを特徴とする請求項４に記載の積み木パズル組立構造。
【請求項８】
さらに、可動積み上げブロックと積み上げベースが相対移動して最も近くなる時の距離はそれぞれの側壁、上制限部材、下制限部材のうちの１種以上により制限され、又は別途設置された押圧制限部材により制限され、前記押圧制限部材は可動積み上げブロックの内部と積み上げベースの内部のうちの少なくとも一方に設置されることを特徴とする請求項１に記載の積み木パズル組立構造。
【請求項９】
前記弾性部材はばねであり、前記可動積み上げブロックの内部と積み上げベースの内部のうちの少なくとも一方に、高さがばねの長さよりも小さくばねの非伸縮方向変位を制限する部材が設けられ、又は前記可動積み上げブロックの側壁と積み上げベースの側壁のうちの少なくとも一方によってばねの非伸縮方向変位を制限することを特徴とする請求項１に記載の積み木パズル組立構造。
【請求項１０】
前記積み木パズル組立構造及びブロックを備え、ブロックが前記前記積み木パズル組立構造の可動積み上げブロックに差し込んで組み立てられることを特徴とする請求項１〜９のいずれか一項に記載の積み木パズル組立構造を備えた積み木玩具。
【発明の詳細な説明】
【技術分野】
【０００１】
本発明は積み木玩具の分野に関し、具体的には積み木パズル組立構造及び積み木玩具に関する。
【背景技術】
【０００２】
従来の積み木分野では、積み木底板（積み上げベース）は１つの非可動積み木底板であり、非可動性のため、複数のブロックが積み木底板に組み上げられる時、ブロックの間に隙間がなく又は隙間が極めて小さく、１つのブロックがほかのブロックに囲まれる時、ピース積み上げ後に周りが密着しているため、中間部に位置するブロックを取り外すには、エッジ位置からブロックを逐一取り外す必要があり、且つ、このような取り外し手法が不便であり、本願を開示する前に、従来技術では該問題についての関連示唆や解決手段がなかった。この問題は積み木分野で長年にわたり未解決のままであり、現在、国内外では該問題を解決できる積み木製品が開発されておらず、本出願者は長年にわたり研究を重ね、様々な技術案を試みても、前記問題をよく解決できず、特に低コスト、高効率で該問題を解決することを達成できる一方、複雑な構造によってこの取り外し問題を解決する場合、創造的な労働をせずに済むが、コストが高過ぎ、量産に不利であり、さらに複雑な構造によって使用者、例えば乳幼児に不安全で、普及できない。従って、本発明のポイントは、最も簡単で、安全性や信頼性、汎用性の最も高い設計を巧妙的かつ創造的に利用することによって、積み木の分野で未解決のままの課題を解決することであり、本願を開示した後、非常に簡単であると考えられるが、本願を開示する前、本出願者を含めて当業者は長い間良好な解決策を見出されていない。しかし、人々に認められて賞賛された発明のように、本発明は巧妙的に最も簡単で信頼でき、コストの最も低い技術案を利用していままで未解決のままの問題を解決した。
【発明の概要】
【発明が解決しようとする課題】
【０００３】
本発明は、従来技術の欠陥を克服して、積み木パズル組立構造及び積み木玩具を提供することを目的とする。
【課題を解決するための手段】
【０００４】
本発明の目的は少なくとも以下の技術案のいずれかによって実現される。
【０００５】
積み木パズル組立構造であって、可動積み上げブロック及び積み上げベースを備え、可動積み上げブロックは弾性部材によって積み上げベースに支持され、弾性部材は可動積み上げブロックと積み上げベースに作用する外部圧力の作用で圧縮して可動積み上げブロックと積み上げベースを相対接近移動させ、外部圧力が消失すると、弾性部材はプレストレスによって可動積み上げブロックを復帰させる。
【０００６】
さらに、前記可動積み上げブロックと積み上げベースは一対一の組立関係であり、１つの積み上げベースのサイズは１つの可動積み上げブロックのみを支持し、この時、可動積み上げブロックと積み上げベースから１つのモジュールが構成され、且つ積み上げベースの最底面構造がブロックと同様であることで、前記モジュールがブロックの機能を有し、前記可動積み上げブロックの最上面は積み木パターンであり又はブロックの底部と挿接可能な構造を有する（従来のパズル積み木底板と同様な構造を採用でき、例えば、ブロックを取り付けるための積み木孔柱が設置される）。
【０００７】
さらに、前記可動積み上げブロックと積み上げベースは多対一の組立関係であり、すなわち複数の前記可動積み上げブロックが１つの積み上げベースに組み立てられ、積み上げベースは一体成形構造であり、各可動積み上げブロックはそれぞれ独立に前記弾性部材によって積み上げベースに支持され、外部圧力の作用で積み上げベースに対して接近移動可能であり、複数の前記可動積み上げブロックは前記１つの積み上げベースの上方に等高に配列され、複数の前記可動積み上げブロックの最上面が配列されて、複数のブロックと挿接してパズルを完成できる構造が形成され、前記可動積み上げブロックの最上面が１つのブロックの底部と挿接可能な構造である（従来のパズル積み木底板と同様な構造を採用でき、例えば、ブロックを取り付けるための積み木孔柱が設置される）。
【０００８】
さらに、前記可動積み上げブロックに上制限部材が設けられ、積み上げベースに設けられた下制限部材と嵌合して係合接続と制限作用を実現し、可動積み上げブロックと積み上げベースを係合後に相対移動可能にするだけでなく弾性部材のプレストレスの作用で脱離することがなく、前記上制限部材は可動積み上げブロックの側壁（外側壁又は内側壁）に設けられてもよく、可動積み上げブロック内に設けられてもよく、前記下制限部材は積み上げベースの側壁（内側壁又は外側壁）に設けられてもよく、積み上げベース内に設けられてもよい。
【０００９】
前記上制限部材は可動積み上げブロックの外側面に設けられた突起であり、前記下制限部材は積み上げベースの内側面に設けられた突起であり、可動積み上げブロックと積み上げベースに作用する外部圧力によって２つの突起を相互に押出して係合を実現し、弾性部材の反発時に可動積み上げブロックと積み上げベースとの脱離を阻止する（本願に記載の脱離とは、ばねの復帰又は復帰中に可動積み上げブロックを積み上げベースから脱離させることである）。
【００１０】
さらに、前記可動積み上げブロックの前記上制限部材と可動積み上げブロックの側壁との間に隙間があり、すなわち上制限部材は可動積み上げブロック内の最上面に独立に設けられ、積み上げベースの前記下制限部材と積み上げベースの側壁との間に隙間があり、すなわち下制限部材は積み上げベースの内底面に独立に設けられる。
【００１１】
さらに、前記可動積み上げブロックの内側に設けられた上制限部材は可動積み上げブロック内に側壁とは独立して設けられた矩形側壁であり、積み上げベースの内側に設けられた下制限部材は側壁とは独立して設けられた矩形側壁であり、可動積み上げブロックの内部に設けられた前記矩形側壁が積み上げベースの内部に設けられた前記矩形側壁に嵌入することができるとき、可動積み上げブロックに設けられた前記矩形側壁と積み上げベースに設けられた前記矩形側壁のうち少なくとも一方は突起を有し、それにより嵌入時に係合接続を実現し且つ可動積み上げブロックと積み上げベースの相互脱離を制限する。
【００１２】
さらに、前記可動積み上げブロックに設けられた上制限部材と積み上げベースに設けられた下制限部材が相互に押出して係合を実現した後、可動積み上げブロックと積み上げベースとの積み上げベースの底面に平行な方向の移動は可動積み上げブロックの側壁、積み上げベースの側壁、上制限部材及び下制限部材のうちの１種以上により制限される（すなわち該平行方向移動が不能になり、又は積み上げブロックと積み上げベースの接続及び正常動作を損なわない小距離移動するしかできず、接合時の安定性をできるだけ向上するために、該平行方向の移動をできるだけ小さくする）。
【００１３】
さらに、可動積み上げブロックと積み上げベースが相対移動して最も近くなる時の距離はそれぞれの側壁、上制限部材、下制限部材のうちの１種以上により制限され、又は別途設置された押圧制限部材により制限され、前記押圧制限部材は可動積み上げブロックの内部と積み上げベースの内部のうちの少なくとも一方に設置される。
【００１４】
さらに、前記弾性部材はばね（圧縮後に復帰可能な任意の部材、例えばリーフスプリング等である）、前記可動積み上げブロックの内部と積み上げベースの内部のうちの少なくとも一方に、高さがばねの長さよりも小さくばねの非伸縮方向変位を制限する部材（ばねの外側又は内側に設けられた中空柱）が設けられ、又は前記可動積み上げブロックの側壁と積み上げベースの側壁のうちの少なくとも一方によってばねの非伸縮方向変位を制限し、可動積み上げブロックと積み上げベースの外形は一般には矩形状である。
【００１５】
本発明は前記積み木パズル組立構造を備えた積み木玩具をさらに提供し、前記積み木パズル組立構造及びブロックを備え、ブロックが前記積み木パズル組立構造の可動積み上げブロックに差し込んで組み立てられる。
【００１６】
従来技術に比べて、本発明は以下の利点及び技術的効果を有する。
【００１７】
本発明の構造は可動積み木構造であり、ピース（ブロック）を組み立てた後、各ピースが押圧によって下へ移動可能で、且つ弾性部材の作用で自動的に復帰可能であることで、娯楽効果を向上させ、さらに、いずれかのピースを取り外す必要がある時、該ピースの隣接する２つのブロックを任意に押圧して、取り外し対象のブロックの対向したエッジ位置すなわち掴み部を露出させるだけで、取り外し対象のピースを簡単に抜くことができ、使用が容易である。また、可動積み上げブロックと積み上げベースから１つのモジュールが構成され、１つのモジュールの積み上げベースの底部を標準積み木孔構造とすることで、可動積み上げ底板の利点を有するだけでなく、従来の積み木底板と組み合わせて使用でき、サイズについての制限がなく、使用者は好みに応じてパズルを所望したサイズにすることができ、製品の使用可能性を増やす。
【００１８】
要するに、本発明は構造が簡単で巧妙で、生産が容易で、コストが低く、最も簡単で、安全性や信頼性、汎用性の最も高い設計を創造的に利用することによって、積み木分野で未解決のままの課題を解決し、使用が非常に容易であり、自由に組立や簡単な取り外しを行うことができ、積み木玩具のプレイアビリティを大幅に向上させる。人々に認められて賞賛された発明のように、本発明は巧妙的に最も簡単で信頼でき、コストの最も低い技術案を利用していままで未解決のままの問題を解決し、該発明は普及される見込みがある。
【図面の簡単な説明】
【００１９】
【図１ａ】図１ａは本発明の例における可動積み上げブロックと積み上げベースが多対一の場合の全体構造の上面図である。
【図１ｂ】図１ｂは本発明の例における可動積み上げブロックと積み上げベースが多対一の場合の全体構造の正面図である。
【図１ｃ】図１ｃは本発明の例における可動積み上げブロックと積み上げベースが多対一の場合の全体構造の側面図である。
【図２】図２は図１ｂに示される積み木パズル組立構造の部分断面図である。
【図３】図３は一例の積み木パズル組立構造の状態切替の模式図である。
【図４ａ】図４ａは、例における積み木パズル組立構造にブロックを差し込んだ後の効果の上面図である。
【図４ｂ】図４ｂは、例における積み木パズル組立構造にブロックを差し込んだ後の効果の上面図と正面図である。
【図５】図５は例における積み木パズル組立構造からブロックを取り外す時の模式図である。
【図６】図６は例における単一可動積み上げブロックと積み上げベースから１つのモジュールを構成する構造模式図である。
【発明を実施するための形態】
【００２０】
以下、図面及び例を参照して本発明の実施形態をさらに説明するが、本発明の実施と保護はこれに限定されない。
【００２１】
図１ａ〜図１ｃに示すように、積み木パズル組立構造の一例として、１つの積み上げベース１に複数の可動積み上げブロック２が組み立てられ、前記可動積み上げブロックと積み上げベースは多対一の組立関係であり、積み上げベースは一体成形構造であり、必要に応じて異なるサイズで成形できる。各可動積み上げブロックはそれぞれ独立に前記弾性部材によって積み上げベースに支持され、外部圧力の作用で積み上げベースに対して接近移動可能であり、複数の前記可動積み上げブロックは前記１つの積み上げベースの上方に等高に配列され、複数の前記可動積み上げブロックの最上面が配列されて、ブロックと挿接してパズルを完成できる構造が形成され、前記可動積み上げブロックの最上面が１つのブロックの底部と挿接可能な構造であり（例えば、積み木孔柱が設置される）、一例として、最上面構造は従来のパズル積み木底板と同様な構造を採用でき、図１ａ〜図１ｃに示すように、従来のブロックを取り付けるための積み木孔柱２０１が設置される。
【００２２】
図２〜図４に示すように、可動積み上げブロック２は弾性部材によって積み上げベース１に支持され、弾性部材は圧縮後に復帰可能な任意の部材、例えば、ばね、リーフスプリング等であり、本実施形態では、ばね３が用いられ、弾性部材は可動積み上げブロックと積み上げベースに作用する外部圧力の作用で圧縮して可動積み上げブロックと積み上げベースを相対接近移動させ、外部圧力が消失すると、弾性部材はプレストレスによって可動積み上げブロックを支持する。
【００２３】
一例として、前記可動積み上げブロックに上制限部材４が設けられ、積み上げベースに設けられた下制限部材５と嵌合して係合接続と制限作用を実現し、可動積み上げブロックと積み上げベースを係合後に相対移動可能にするだけでなく、弾性部材のプレストレスの作用で脱離することなく復帰できる。前記上制限部材は可動積み上げブロックの側壁（外側壁又は内側壁）に設けられてもよく、可動積み上げブロック内（図２、図３参照）に設けられてもよく、前記下制限部材は積み上げベースの側壁（内側壁又は外側壁）に設けられてもよく、積み上げベース内に設けられてもよい。図２に示すように、前記下制限部材は積み上げベースの内側壁に設置される。
【００２４】
前記上制限部材は可動積み上げブロック外側面に設けられた突起（突起はフック状であってもよい）、前記下制限部材は積み上げベースの内側面に設けられた突起（突起はフック状であってもよい）であり、可動積み上げブロックと積み上げベースに作用する外部圧力によって２つの突起を相互に押出して係合を実現し、弾性部材の反発時に可動積み上げブロックと積み上げベースとの脱離を阻止する（図３参照）。
【００２５】
一例として、前記可動積み上げブロックの前記上制限部材と可動積み上げブロックの側壁との間に隙間があり、すなわち上制限部材は可動積み上げブロック内の最上面に独立して設けられ（図２、図３参照）、同様に、積み上げベースの前記下制限部材と積み上げベースの側壁との間に隙間があり、すなわち下制限部材は積み上げベースの内底面に独立して設けられ、２種の形態を交互に組み合わせることができる。
【００２６】
図２、図３に示すように、前記可動積み上げブロックの内側に設けられた上制限部材は可動積み上げブロック内に側壁とは独立して設けられた矩形側壁である。同様に、積み上げベース内側に設けられた下制限部材は側壁とは独立して設けられた矩形側壁であり、可動積み上げブロックの内部に設けられた前記矩形側壁が積み上げベースの内部に設けられた前記矩形側壁に嵌入することができるとき、可動積み上げブロックに設けられた前記矩形側壁と積み上げベースに設けられた前記矩形側壁のうち少なくとも一方は突起を有し、それにより嵌入時に係合接続を実現し且つ可動積み上げブロックと積み上げベースの相互脱離を制限する。例として、例えば、可動積み上げブロックに設けられた前記矩形側壁に突起が設けられ、積み上げベースに設けられた前記矩形側壁の対応した位置に突起又は溝が設けられ、嵌合して係合接続と制限を実現する。前記可動積み上げブロックに設けられた上制限部材と積み上げベースに設けられた下制限部材が相互に押出して係合を実現した（図３参照）後、可動積み上げブロックと積み上げベースとの積み上げベースの底面に平行な方向の移動は可動積み上げブロックの側壁、積み上げベースの側壁、上制限部材及び下制限部材のうちの１種以上により制限され、本例では、図示するように、上制限部材と積み上げベースの側壁によって前記平行方向の移動を制限し、該平行方向の移動が不能になり、又は積み上げブロックと積み上げベースの接続及び正常動作を損なわない小距離移動するしかできず、接合時の安定性をできるだけ向上するために、該平行方向の移動をできるだけ小さくする）。
【００２７】
さらに、可動積み上げブロックと積み上げベースが相対移動して最も近くなる時の距離はそれぞれの側壁、上制限部材、下制限部材のうちの１種以上により制限され、又は別途設置された押圧制限部材により制限され、前記押圧制限部材は可動積み上げブロックの内部と積み上げベースの内部のうちの少なくとも一方に設置される。図３に示すように、本例では、上制限部材によって、前記最も近い時の距離を制限する。
【００２８】
図２、図３に示すように、前記可動積み上げブロックの内部と積み上げベースの内部のうちの少なくとも一方に、高さがばねの長さよりも小さくばねの非伸縮方向変位を制限するばね制限部材６（ばねの外側又は内側に位置する中空柱であってもよく、本例では前者を採用する）が設けられ、又は前記可動積み上げブロックの側壁と積み上げベースの側壁のうちの少なくとも一方によってばねの非伸縮方向変位を制限し（この場合、ばねの直径が大きい）。可動積み上げブロックと積み上げベースの外形は一般には矩形状であるため、通常、ばねの外側又は内側に位置する中空柱をばね制限部材６として使用する。
【００２９】
図４はブロック４０１を挿し込んだ後の効果図である。従来のブロックベースは、ピース積み上げ後に周りが密着しているため、中間部又はほかの位置に位置するいずれかのピースを取り外そうともつかむ位置がないため、いずれかのブロックを取り外すには、特殊のツールが必要である。それに対して、本発明の技術案によれば、図５に示すように、中間位置に位置するブロックを取り外す時の押圧方式と方向模式図であり、両側の隣接したブロックを押圧するだけで、簡単に取り外し対象のブロックの両側から取り外し対象のブロックをつかんで抜くことができる。本例では、ばねの弾性力が柔らかく、ブロックと可動積み上げブロックを支持できればよく、ブロックと可動積み上げブロックとを簡単に組み合わせることができ、乳幼児も簡単に使用できる。
【００３０】
別の典型的な例として、図６に示すように、前記可動積み上げブロックと積み上げベースは一対一の組立関係であり、１つの積み上げベースのサイズが１つの可動積み上げブロックのみを支持し、この時、可動積み上げブロックと積み上げベースから１つのモジュールが構成され、且つ積み上げベースの最底面構造１０１がブロックの底部と同様であることで、前記モジュールがブロックの機能を有し、前記可動積み上げブロックの最上面は積み木パターンであり又はブロックの底部と挿接可能な構造を有する（従来のパズル積み木底板と同様な構造を採用でき、例えば、ブロックを取り付けるための積み木孔柱が設置される）。このような構造は普通の積み木積み上げ底板又は積み木関連製品と任意に組み合わせて使用することができる。１つのモジュールの積み上げベースの底部を標準積み木孔構造とすることで、可動積み上げ底板の利点を有するだけでなく、従来の積み木底板と組み合わせて使用でき、サイズについての制限がなく、使用者は好みに応じてパズルを所望したサイズにすることができ、製品の使用可能性を増やす。
【００３１】
本願に開示されている技術案に基づき、当業者は上記実施形態に変更や修正、例えば制限部材の位置調整等を行うことができる。従って、本発明の保護範囲は上記具体的な実施形態に限定されず、本発明に進歩性のない置換や簡単な増減を行った技術案も本発明の請求項の保護範囲に属する。
【図１ａ】
2019514445.tif 000003
【図１ｂ】
2019514445.tif 000004
【図１ｃ】
2019514445.tif 000005
【図２】
2019514445.tif 000006
【図３】
2019514445.tif 000007
【図４ａ】
2019514445.tif 000008
【図４ｂ】
2019514445.tif 000009
【図５】
2019514445.tif 000010
【図６】
2019514445.tif 000011
【国際調査報告】
2019514445.tif 000012
2019514445.tif 000013
2019514445.tif 000014
2019514445.tif 000015
2019514445.tif 000016